【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
シート材が収容される収容手段と、
前記収容手段から給送された前記シート材に画像を形成する画像形成手段と、
前記収容手段から給送された前記シート材の特性を検出するセンサと、
前記センサにより検出された前記シート材の特性を格納する格納手段と、
第１モードと第２モードの何れかを選択する選択手段と、
前記選択手段により前記第１モードが選択された場合、ユーザにより入力される、前記収容手段に収容される前記シート材の特性を表す特性データに基づいて画像形成条件を決定し、
前記選択手段により前記第２モードが選択された場合、前記格納手段に既に前記特性データが格納されていれば、前記センサによる前記シート材の特性の検知結果が得られる前に、前記格納手段に格納された前記特性データに基づいて前記画像形成条件を決定し、前記格納手段に前記特性データが格納されていなければ、前記センサにより前記シート材の特性を検出させ、その検知結果に基づいて前記画像形成条件を決定する制御手段と、を備え、
前記制御手段は、前記第１モードが選択されていても、前記センサにより前記シート材の特性を検出させ、検出結果を前記格納手段に格納させることを特徴とする画像形成装置。
【請求項２】
前記収容手段に収容される前記シート材の特性を表す前記特性データをユーザに入力させる入力手段を有することを特徴とする請求項１記載の画像形成装置。
【請求項３】
前記制御手段は、前記選択手段により前記第２モードが選択され、前記格納手段に前記特性データが格納されていても、前記センサにより前記シート材の特性を検出させることを特徴とする請求項１または２に記載の画像形成装置。
【請求項４】
前記収容手段が前記画像形成装置に装着されているか否かを検出する開閉センサを備え、
前記制御手段は、前記開閉センサの検出結果により前記収容手段が前記画像形成装置に装着されている状態から装着されていない状態に変化したことを検出すると、前記格納手段に格納された前記特性データを削除することを特徴とする請求項１乃至３の何れか１項に記載の画像形成装置。
【請求項５】
前記格納手段は、前記収容手段から給送される所定枚数分のシート材に対応した記憶領域を有し、１枚のシート材毎に異なる記憶領域に前記シート材の特性が格納されることを特徴とする請求項１乃至４の何れか１項に記載の画像形成装置。
【請求項６】
前記格納手段は、前記所定枚数分の記憶領域のすべてに前記シート材の特性が格納された後は１枚目のシート材に対応した記憶領域から前記シート材の特性が格納されることを特徴とする請求項５記載の画像形成装置。
【請求項７】
複数の前記収容手段が設けられており、
前記開閉センサは複数の前記収容手段の各々に対応して設けられており、
前記格納手段は、前記収容手段の数に対応して前記シート材の特性が格納される領域が設けられることを特徴とする請求項４、請求項４を引用する請求項５、請求項４を引用する請求項６の何れか１項に項記載の画像形成装置。
【請求項８】
前記センサは、前記シート材を照射する発光手段と、前記シート材による前記発光手段からの光の反射光を受光し、その反射光量を前記検出結果として出力する受光手段と、を備えることを特徴とする請求項１乃至７の何れか１項記載の画像形成装置。
【請求項９】
前記画像形成手段は、前記シート材に形成された画像を熱により定着する定着手段を有し、
前記制御手段は、前記シート材の特性に応じて前記定着手段が前記シート材に画像を定着させるための熱量を決定し、決定した熱量が得られるように前記画像形成条件を決定することを特徴とする、
請求項１乃至８の何れか１項記載の画像形成装置。
【請求項１０】
前記制御手段は、前記シート材の特性に応じて、前記熱量が得られるように前記定着手段が前記シート材に画像を定着させるときの定着温度を決定し、前記定着手段の温度を前記定着温度に調整することを特徴とする請求項９記載の画像形成装置。
【請求項１１】
前記制御手段は、前記シート材の特性に応じて、前記熱量が得られるように前記定着手段が前記シート材に画像を定着させるときの前記シート材の搬送速度を決定し、前記定着手段による前記シート材の搬送速度を制御することを特徴とする請求項９又は１０記載の画像形成装置。
【請求項１２】
前記制御手段は、前記第１モードが選択された場合及び前記第２モードが選択され、且つ、前記格納手段に前記特性データが格納されている場合に、前記画像形成手段に画像形成を開始させるとともに前記定着手段の温度調整を開始することを特徴とする請求項９乃至１１のいずれか１項記載の画像形成装置。
【請求項１３】
シート材が収容される収容手段と、
前記収容手段から給紙されたシート材に画像を形成する画像形成手段と、
前記収容手段から搬送される前記シート材の特性を検出するセンサと、
前記センサにより検出されたシート材の特性を格納する格納手段と、
第１モードと第２モードの何れかを選択する選択手段と、
を備えた画像形成装置の制御方法であって、
前記選択手段により前記第１モードが選択された場合、ユーザにより入力される、前記収容手段に収容されるシート材の特性を表す特性データに基づいて画像形成条件を決定し、
前記選択手段により前記第２モードが選択され、前記格納手段に既に前記特性データが格納されている場合、前記センサによるシート材の特性の検知結果が得られる前に、前記格納手段に格納された特性データに基づいて画像形成条件を決定し、
前記選択手段により前記第２モードが選択され、前記格納手段に前記特性データが格納されていない場合、前記センサによりシート材の特性を検出させ、その検知結果に基づいて画像形成条件を決定し、
前記第１モードが選択されていても、前記センサによりシート材の特性を検出させ、検出結果を前記格納手段に格納させることを特徴とする画像形成装置の制御方法。
【手続補正２】
【補正対象書類名】明細書
【補正対象項目名】発明の名称
【補正方法】変更
【補正の内容】
【発明の名称】画像形成装置、画像形成装置の制御方法
【手続補正３】
【補正対象書類名】明細書
【補正対象項目名】０００８
【補正方法】変更
【補正の内容】
【０００８】
本発明の画像形成装置は、シート材が収容される収容手段と、前記収容手段から給送された前記シート材に画像を形成する画像形成手段と、前記収容手段から給送された前記シート材の特性を検出するセンサと、前記センサにより検出された前記シート材の特性を格納する格納手段と、第１モードと第２モードの何れかを選択する選択手段と、前記選択手段により前記第１モードが選択された場合、ユーザにより入力される、前記収容手段に収容される前記シート材の特性を表す特性データに基づいて画像形成条件を決定し、前記選択手段により前記第２モードが選択された場合、前記格納手段に既に前記特性データが格納されていれば、前記センサによる前記シート材の特性の検知結果が得られる前に、前記格納手段に格納された前記特性データに基づいて前記画像形成条件を決定し、前記格納手段に前記特性データが格納されていなければ、前記センサにより前記シート材の特性を検出させ、その検知結果に基づいて前記画像形成条件を決定する制御手段と、を備え、前記制御手段は、前記第１モードが選択されていても、前記センサにより前記シート材の特性を検出させ、検出結果を前記格納手段に格納させることを特徴とする。